【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
情報記録のための記録光を出射する光源と、
入力された記録信号に対応し、予め決定されたデジタルデータである記録波形データを生成する記録波形データ生成手段と、
前記記録波形データをＤ／Ａ変換して駆動パルス信号を生成するＤ／Ａ変換手段と、
前記駆動パルス信号に基づいて、前記光源を駆動して前記記録光を出射させる駆動手段と、
を備え、
前記記録波形データは、前記光源及び前記駆動手段並びにそれらの組み合わせによる特性によって生じる前記駆動パルス信号への影響を抑制するデータを有することを特徴とする情報記録装置。
【請求項２】
前記記録波形データ生成手段は、
前記記録信号及びストラテジ情報に基づいて記録ストラテジ信号を生成する手段と、
複数のパルス幅のパルス波形について、前記光源及び前記駆動手段並びにそれらの組み合わせによって生じる前記駆動パルス信号への影響を抑制する波形データを記憶している記憶手段と、
前記ストラテジ信号を構成するパルス波形に対応する前記波形データを前記記憶手段から取得して、前記記録波形データを生成する生成手段と、
を備えることを特徴とする請求項１に記載の情報記録装置。
【請求項３】
前記記録波形データ生成手段は、
複数の記録信号に対応する記録波形について、前記光源及び前記駆動手段並びにそれらの組み合わせによる特性によって生じる前記駆動パルス信号への影響を抑制する波形データを記憶する記憶手段と、
入力された記録信号に対応する波形データを前記記憶手段から取得し、前記記録波形データを生成する生成手段と、
を備えることを特徴とする請求項１に記載の情報記録装置。
【請求項４】
前記記憶手段は、記録時に前記光源から出射される記録光のパワーである記録パワー毎に、前記波形データを記憶しており、
前記生成手段は、使用すべき記録パワーに応じて前記記憶手段を参照して前記記録波形データを生成することを特徴とする請求項２又は３に記載の情報記録装置。
【請求項５】
前記記録波形データは、前記光源から出射される記録光の波形がオーバーシュート及び／又はアンダーシュートを生じる位置に対応する位置において、前記オーバーシュート及び／又は前記アンダーシュートを抑制するレベルを有することを特徴とする請求項１乃至４のいずれか一項に記載の情報記録装置。
【請求項６】
前記記録波形データは、前記光源から出射される記録光の波形がレベルの傾斜を有する場合に、当該レベルの傾斜を相殺する特性のレベルを有することを特徴とする請求項１乃至５のいずれか一項に記載の情報記録装置。
【請求項７】
情報記録のための記録光を出射する光源及び前記光源の駆動手段を備える情報記録装置により実行される情報記録方法において、
入力された記録信号に対応し、前記光源及び前記駆動手段並びにそれらの組み合わせによる特性によって生じる前記駆動パルス信号への影響を抑制するデータを有する記録波形データを生成する工程と、
前記記録波形データをＤ／Ａ変換して駆動パルス信号を生成する工程と、
前記駆動パルス信号に基づいて、前記駆動手段により前記光源を駆動して前記記録光を出射させることにより情報の記録を行う工程と、
を備えることを特徴とする情報記録方法。
【請求項８】
情報記録のための記録光を出射する光源と、
入力された記録信号に対応するパルス波形信号であるストラテジ信号を生成するストラテジ信号生成手段と、
入力された記録信号に対応し、予め決定されたデジタルデータである補正データを生成する補正データ生成手段と、
前記補正データをＤ／Ａ変換してアナログ信号である補正信号を生成するＤ／Ａ変換手段と、
前記ストラテジ信号と前記補正信号とを加算して駆動パルス信号を生成する加算手段と、
前記駆動パルス信号に基づいて、前記光源を駆動して前記記録光を出射させる駆動手段と、
を備え、
前記補正データは、前記光源及び前記駆動手段並びにそれらの組み合わせによる特性によって生じる前記駆動パルス信号への影響を抑制するデータを有することを特徴とする情報記録装置。
【請求項９】
前記補正データは、前記光源から出射される記録光の波形がオーバーシュート及び／又はアンダーシュートを生じる位置に対応する位置において、前記オーバーシュート及び／又は前記アンダーシュートを抑制するレベルを有することを特徴とする請求項８に記載の情報記録装置。
【請求項１０】
前記補正データは、前記光源から出射される記録光の波形がレベルの傾斜を有する場合に、当該レベルの傾斜を相殺する特性のレベルを有することを特徴とする請求項８又は９に記載の情報記録装置。
【請求項１１】
情報記録のための記録光を出射する光源及び前記光源の駆動手段を備える情報記録装置により実行される情報記録方法において、
入力された記録信号に対応するパルス波形信号であるストラテジ信号を生成する工程と、
入力された記録信号に対応し、前記光源及び前記駆動手段並びにそれらの組み合わせによる特性によって生じる前記駆動パルス信号への影響を抑制するデータを有する補正データを生成する工程と、
前記補正データをＤ／Ａ変換してアナログ信号である補正信号を生成する工程と、
前記ストラテジ信号と前記補正信号とを加算して駆動パルス信号を生成する工程と、
前記駆動パルス信号に基づいて、前記光源を駆動して前記記録光を出射させることにより情報の記録を行う工程と、
を備えることを特徴とする情報記録方法。
【請求項１２】
記録信号に対応するデジタルデータである設定波形データを取得する手段と、
前記設定波形データをＤ／Ａ変換して駆動パルス信号を生成するＤ／Ａ変換手段と、
前記駆動パルス信号により光源を駆動して記録光を出射させる駆動手段と、
前記記録光を受光して、検出信号を生成する光検出手段と、
前記検出信号をＡ／Ｄ変換して検出波形データを生成するＡ／Ｄ変換手段と、
予め用意された目標波形データと前記検出波形データとを比較して誤差データを算出する手段と、
前記誤差データが予め決定された許容誤差より大きい場合に、前記設定波形データを更新する手段と、
前記誤差データが予め決定された許容誤差より小さい場合に、対応する設定波形データを、当該記録信号に対応する波形データとして記憶する手段と、
を備えることを特徴とする波形データ生成装置。
【請求項１３】
記録信号に対応するデジタルデータである設定波形データを取得する第１工程と、
前記設定波形データをＤ／Ａ変換して駆動パルス信号を生成する第２工程と、
前記駆動パルス信号により光源を駆動して記録光を出射させる第３工程と、
前記記録光を受光して、検出信号を生成する第４工程と、
前記検出信号をＡ／Ｄ変換して検出波形データを生成する第５工程と、
予め用意された目標波形データと前記検出波形データとを比較して誤差データを算出する第６工程と、
前記誤差データが予め決定された許容誤差より大きい場合に、前記設定波形データを更新し、前記第１工程乃至前記第６工程を繰り返す工程と、
前記誤差データが予め決定された許容誤差より小さい場合に、対応する設定波形データを、当該記録信号に対応する波形データとして記憶する工程と、
を備えることを特徴とする波形データ生成方法。
【手続補正２】
【補正対象書類名】明細書
【補正対象項目名】０００９
【補正方法】変更
【補正の内容】
【０００９】
【課題を解決するための手段】
請求項１に記載の発明は、情報記録のための記録光を出射する光源と、入力された記録信号に対応し、予め決定されたデジタルデータである記録波形データを生成する記録波形データ生成手段と、前記記録波形データをＤ／Ａ変換して駆動パルス信号を生成するＤ／Ａ変換手段と、前記駆動パルス信号に基づいて、前記光源を駆動して前記記録光を出射させる駆動手段と、を備え、前記記録波形データは、前記光源及び前記駆動手段並びにそれらの組み合わせによる特性によって生じる前記駆動パルス信号への影響を抑制するデータを有することを特徴とする。
【手続補正３】
【補正対象書類名】明細書
【補正対象項目名】００１０
【補正方法】変更
【補正の内容】
【００１０】
請求項７に記載の発明は、情報記録のための記録光を出射する光源及び前記光源の駆動手段を備える情報記録装置により実行される情報記録方法において、入力された記録信号に対応し、前記光源及び前記駆動手段並びにそれらの組み合わせによる特性によって生じる前記駆動パルス信号への影響を抑制するデータを有する記録波形データを生成する工程と、前記記録波形データをＤ／Ａ変換して駆動パルス信号を生成する工程と、前記駆動パルス信号に基づいて、前記駆動手段により前記光源を駆動して前記記録光を出射させることにより情報の記録を行う工程と、を備えることを特徴とする。
【手続補正４】
【補正対象書類名】明細書
【補正対象項目名】００１１
【補正方法】変更
【補正の内容】
【００１１】
請求項８に記載の発明は、情報記録装置において、情報記録のための記録光を出射する光源と、入力された記録信号に対応するパルス波形信号であるストラテジ信号を生成するストラテジ信号生成手段と、入力された記録信号に対応し、予め決定されたデジタルデータである補正データを生成する補正データ生成手段と、前記補正データをＤ／Ａ変換してアナログ信号である補正信号を生成するＤ／Ａ変換手段と、前記ストラテジ信号と前記補正信号とを加算して駆動パルス信号を生成する加算手段と、前記駆動パルス信号に基づいて、前記光源を駆動して前記記録光を出射させる駆動手段と、を備え、前記補正データは、前記光源及び前記駆動手段並びにそれらの組み合わせによる特性によって生じる前記駆動パルス信号への影響を抑制するデータを有することを特徴とする。
【手続補正５】
【補正対象書類名】明細書
【補正対象項目名】００１２
【補正方法】変更
【補正の内容】
【００１２】
請求項１１に記載の発明は、情報記録のための記録光を出射する光源及び前記光源の駆動手段を備える情報記録装置により実行される情報記録方法において、入力された記録信号に対応するパルス波形信号であるストラテジ信号を生成する工程と、入力された記録信号に対応し、前記光源及び前記駆動手段並びにそれらの組み合わせによる特性によって生じる前記駆動パルス信号への影響を抑制するデータを有する補正データを生成する工程と、前記補正データをＤ／Ａ変換してアナログ信号である補正信号を生成する工程と、前記ストラテジ信号と前記補正信号とを加算して駆動パルス信号を生成する工程と、前記駆動パルス信号に基づいて、前記光源を駆動して前記記録光を出射させることにより情報の記録を行う工程と、を備えることを特徴とする。